(57)【特許請求の範囲】
【請求項１】
ポケット内で転動体（１０）を収容する保持器（１）を備えたアキシャルころがり軸受であって、前記保持器（１）が、殊に金属薄板より形成された２つの回転円板（２，３）間に配置されており、この保持器（１）と回転円板（２，３）とが、互いに係合し合うことによって１つの構造ユニットにまとめられていて、第１の回転円板（２）の内径部と、第２の回転円板（３）の外径部とが、それぞれ保持器（１）を遊びを保って取り囲む、軸方向に向けられたフランジ（４，５）を備えており、これら２つのフランジ（４，５）が２つの回転円板（２，３）と共に、直径方向で互いに向き合う環状ギャップ（６，７）を形成している形式のものにおいて、
保持器（１）が、ポケット（８）から半径方向に間隔を保って配置された貫通開口（９）を備えており、該貫通開口（９）が、半径方向で内方に位置する環状ギャップ（６）の半径方向寸法内に位置していることを特徴とする、アキシャルころがり軸受。
【請求項２】
環状ギャプ（６）の半径方向の寸法が、貫通開口（９）の少なくとも直径に相当する、請求項１記載のアキシャルころがり軸受。
【請求項３】
保持器（１）の各ポケット（８）のうちのいくつかに転動体（１０）が備えられていないところがある、請求項１記載のアキシャルころがり軸受。
【請求項４】
保持器（１）の、それぞれ１つおきのポケット（８）に転動体（１０）が収容されている、請求項１記載のアキシャルころがり軸受。
【請求項５】
ポケット（８）の半径方向寸法が、転動体（１０）の半径方向寸法よりも大きい、請求項１記載のアキシャルころがり軸受。
【請求項６】
保持器（１）が縦断面図で見て、シグマ（Σ）形状を有していて、該保持器（１）が内周面及び外周面でそれぞれ１つの折り曲げ縁部を有しており、これらの折り曲げ縁部によって、保持器（１）が回転円板（２，３）のフランジ（４，５）で半径方向でガイドされている、請求項１記載のアキシャルころがり軸受。
【発明の詳細な説明】
【０００１】
【発明の属する技術分野】
本発明は、ポケット内で転動体を収容する保持器を備えたアキシャルころがり軸受であって、前記保持器が、特に金属薄板より形成された２つの回転円板間に配置されており、この保持器と回転円板とが、互いに形状接続的に係合し合うことによって１つの構造ユニットにまとめられていて、少なくとも第１の回転円板の外周縁部が、保持器を遊びを保って取り囲む、軸方向に向けられたフランジに移行しており、これによって少なくとも環状ギャップが形成されている形式のものに関する。
【０００２】
【従来の技術】
このような形式のアキシャルころがり軸受は、アメリカ合衆国特許第２８９１８２８号明細書によｒ公知である。このようなアキシャルころがり軸受は、特に自動車の伝動装置の変換器に使用される。このような軸受における欠点は、潤滑剤をアキシャルころがり軸受ユニットに行き渡らせるためには、潤滑剤が高い抵抗を克服しなければならないという点にある。潤滑剤のためのこのような流過抵抗は、一方では回転円板と保持器との間の狭い半径方向及び軸方向ギャップによって、また他方では保持器のポケットと転動体との間の狭い自由空間によって生ぜしめられる。
【０００３】
【発明が解決しようとする課題】
そこで本発明の課題は、冒頭に述べた形式のアキシャルころがり軸受を改良して、大きい流れ抵抗なしで潤滑剤を行き渡らせることができるようにすることである。
【０００４】
【課題を解決するための手段】
この課題を解決した本発明によれば、保持器が、ポケットから半径方向に間隔を保って配置された貫通開口を備えており、該貫通開口が、半径方向で内方に位置する環状ギャップの半径方向寸法内に位置している。請求項２に記載の有利な構成によれば、環状ギャプの半径方向の寸法が、貫通開口の少なくとも直径に相当する。このような環状ギャップと貫通開口との配置によって、潤滑剤が軸受内に妨げられることなしに侵入することができる。
【０００５】
本発明の実施態様によれば、第１の環状ギャップに向き合う環状ギャップの面が、環状ギャップが貫通開口の少なくとも全面積に相当している。これによって、潤滑剤は、軸受から流れ出る場合にも抵抗にさらされることはない。
【０００６】
本発明の別の実施態様によれば、保持器の各ポケットのうちのいくつかに転動体が備えられていないところがある。つまり保持器の各ポケットのすべてに転動体が設けられているわけではない。この場合、潤滑剤は、転動体が収容されていないポケットを通って貫流することができる。つまり一方では保持器と回転円板との間の狭い半径方向及び軸方向のギャップ、他方では転動体とポケットとの間の自由スペースによって、潤滑剤の流れ抵抗を高める特性が失われるようになっている。本発明の別の実施態様によれば有利には保持器の、それぞれ１つおきのポケットに転動体が収容されている。
【０００７】
このような形式によって、転動体を収容していないポケットによって、軸受の最適な潤滑若しくは潤滑剤貫流が得られる。勿論、軸受の負荷能力とは無関係に、転動体の収容されていないポケットの数を選らすことも考えられる。
【０００８】
また本発明の別の実施態様によれば、ポケットの半径方向寸法を転動体の半径方向寸法よりも大きくすることもできる。この場合には、ポケット内に、転動体を収容しない自由スペースが得られ、この自由スペースによって、潤滑剤は軸受を貫流しやすくなる。このような妨げられることのない貫流は、すべてのポケットに転動体が収容されている場合においても可能である。
【０００９】
また本発明の別の実施態様によれば、保持器が縦断面図で見て、シグマ（Σ）形状を有していて、該保持器が内周面及び外周面でそれぞれ１つの折り曲げ縁部を有しており、これらの折り曲げ縁部によって、保持器が回転円板のフランジで半径方向でガイドされている。しかしながら本発明はこのような保持器の形状に限定されるものではない。それぞれ環状ギャップの領域内に前記形式で貫通開口を備えた、種々異なる公知の保持器形状も可能である。
【００１０】
【発明の実施の形態】
アキシャルころがり軸受は、転動体１０を備えた保持器１より成っており、この保持器１は、互いに平行な２つの回転円板２，３の間に配置されている。回転円板２は、その内径部で軸方向に向けられたフランジ４を備えており、これに対して回転円板３はその外径部で同様に軸方向に向けられたフランジ５を備えているので、直径方向で互いに向き合う２つの環状ギャップ６，７が形成される。回転円板２，３の２つのフランジ４，５は保持器１に係合しているので、これによって、保持器１と２つの回転円板２，３とから成る、失われることのないアキシャル軸受ユニットが形成される。
【００１１】
保持器１は、環状ギャップ６の領域内で、ポケット８の手前で半径方向に位置する、円形孔の形状の貫通開口９を備えており、これらの貫通開口９の直径は、環状ギャップ６の半径方向寸法よりもやや小さい。保持器１は、縦断面で見てSIGMA-状（シグマ、Σ）の形状を有していて、その内径面及び外径面でそれぞれ１つの折り曲げ縁部を備えており、これらの折り曲げ縁部は、フランジ４，５に当接しているか若しくはこのフランジ４，５と共に詳しく図示していない半径方向の環状ギャップを形成している。回転円板２と、回転円板３の、軸方向に向けられたフランジ５とによって形成された環状ギャップ７は、環状ギャップ６と比較して、その半径方向寸法がやや小さく、しかも貫通開口９の大きさの領域内に入る大きさである。
【００１２】
図１及び図２には、軸受を流れる潤滑剤の流れ方向は矢印によって概略的に示されている。図示されているように、潤滑剤は、環状ギャプ６及び貫通開口９を通って軸受内に侵入する。潤滑剤は、貫通開口９を通過してから、特に図２に示されているように、分かれて、保持器１の、転動体１０を備えていないポケット８を通って軸受を半径方向で流過する。次いで、潤滑剤は、回転円板３のフランジ５と回転円板２とによって形成された環状ギャップ７を通って流れる。本発明によるアキシャルころがり軸受の構成によって、潤滑剤が、保持器１とフランジ４若しくは５との間の狭い半径方向ギャップ及び、保持器１と回転円板２若しくは３との間の軸方向ギャップを通って流れることが、図面で明らかである。環状ギャップ６、７及び貫通開口９並びに、転動体１０を備えていないポケット８は、潤滑剤が妨げられることなく貫流するために役立つ。
【図面の簡単な説明】
【図１】本発明の１実施例によるアキシャルころがり軸受の部分的な縦断面図である。
【図２】図１に示したアキシャルころがり軸受の保持器の部分的な平面図である。
【符号の説明】
１  保持器、  ２，３  回転円板  ４，５  回転円板、  ６，７  環状ギャップ、  ８  ポケット、  ９  貫通開口、  １０  転動体
【図１】
0003887432.tif 000002
【図２】
0003887432.tif 000003